(57)【特許請求の範囲】
【請求項１】
表面シートと、裏面シートと、前記表面シートと前記裏面シートとの間に配置される吸収体を備える縦長状の吸収性物品であって、
該吸収体の長手方向に対する幅方向の両側部に重なるように、長手方向に沿って配置されたサイドシートを有し、
該吸収性物品の長手方向における一端である後縁側に位置する後方部には後方圧縮溝が設けられ、
前記後方圧縮溝は、該吸収性物品の幅方向に延び、互いに離間する一対の横圧縮溝部を有し、該一対の横圧縮溝部は、該吸収性物品を幅方向に二分し長手方向に延びる縦中心線を対称軸として略線対称に形成され、
該一対の横圧縮溝部それぞれは、この一対の横圧縮溝部と、該吸収性物品の幅方向に延びる直線とのなす角度が０から２０度の範囲内となるように形成されるとともに、該一対の横圧縮溝部における該吸収性物品の幅方向外方側に位置する端部は、前記サイドシートが配置される位置よりも、該吸収性物品幅方向内方に位置するように形成される吸収性物品。
【請求項２】
前記一対の横圧縮溝部それぞれは、略直線状に形成される請求項１に記載の吸収性物品。
【請求項３】
前記後方圧縮溝は、前記一対の横圧縮溝部それぞれにおける前記幅方向の内方に連続して形成され、前記縦中心線を対称軸として略線対称に形成される内方圧縮溝部を有する請求項１又は２に記載の吸収性物品。
【請求項４】
前記内方圧縮溝部は、前記縦中心線を挟んで形成される一対の内方圧縮溝部であり、前記一対の内方圧縮溝部それぞれにおける前記縦中心線側の端部は、該端部それぞれから延びる仮想延長線が互いに交差するように形成される請求項３に記載の吸収性物品。
【請求項５】
前記後方圧縮溝は、前記一対の横圧縮溝部それぞれにおける前記幅方向の外方に連続して形成される一対の外方圧縮溝部を有し、該一対の外方圧縮溝部それぞれは、該一対の外方圧縮溝部それぞれにおける前記幅方向外方に位置する一端が、前記一対の横圧縮溝部よりも該吸収性物品における前縁側に位置するように形成される請求項１から４のいずれかに記載の吸収性物品。
【請求項６】
該吸収性物品の前記長手方向における中央部に形成される一対の中央圧縮溝を更に備える請求項１から５のいずれかに記載の吸収性物品。
【発明の詳細な説明】
【技術分野】
【０００１】
本発明は、吸収性物品に関する。
【背景技術】
【０００２】
従来、生理用ナプキン等の吸収性物品には、フィット性及び漏れ防止性を向上させるべく、種々の提案がなされている。
例えば、生理用ナプキンの装着時における身体へのフィット性を向上させるために、生理用ナプキンの後方部に長手方向に延びる一対の立体溝が設けられ、該一対の立体溝は、後端部に向かうにつれてその間隔が漸次大きくなるように形成されている生理用ナプキンが提案されている（特許文献１参照）。
特許文献１記載の生理用ナプキンは、装着時には身体の形状に沿って変形し、フィット性に優れるが、装着後の身体の動きによって生理用ナプキンがよれてしまい、漏れの原因となるという問題があった。
【０００３】
また、装着後における生理用ナプキンのよれを防ぐことを目的として、生理用ナプキンの長手方向両端近傍において、生理用ナプキンの長手方向に延びる中心軸に略垂直となるように該中心軸を横断し、かつ生理用ナプキンの幅方向の長さの５０％以上を占める硬化要素が形成されたものも提案されている（特許文献２参照）。しかし、特許文献２記載の生理用ナプキンは、硬化要素が中心軸を跨いで形成されているため、装着時に身体の形状、特に臀部における溝の形状に沿いにくくフィット性が悪いという問題があった。
【特許文献１】特開１０−２０１７８８号公報
【特許文献２】特開１０−２２５４８０号公報
【発明の開示】
【発明が解決しようとする課題】
【０００４】
したがって、本発明は、装着時のフィット性に優れると共に、装着後の身体の動き等によってもよれにくく漏れ防止性に優れた吸収性物品を提供することを目的とする。
【課題を解決するための手段】
【０００５】
（１）表面シートと、裏面シートと、前記表面シートと前記裏面シートとの間に配置される吸収体を備える縦長状の吸収性物品であって、該吸収性物品の長手方向における一端である後縁側に位置する後方部には後方圧縮溝が設けられ、前記後方圧縮溝は、該吸収性物品の幅方向に延び、互いに離間する一対の横圧縮溝部を有し、該一対の横圧縮溝部は、該吸収性物品を幅方向に二分し長手方向に延びる縦中心線を対称軸として略線対称に形成される吸収性物品。
【０００６】
（２）前記一対の横圧縮溝部それぞれは、略直線状に形成される（１）に記載の吸収性物品。
【０００７】
（３）前記後方圧縮溝は、前記一対の横圧縮溝部それぞれにおける前記幅方向の内方に連続して形成され、前記縦中心線を対称軸として略線対称に形成される内方圧縮溝部を有する（１）又（２）に記載の吸収性物品。
【０００８】
（４）前記内方圧縮溝部は、前記縦中心線を挟んで形成される一対の内方圧縮溝部であり、前記一対の内方圧縮溝部それぞれにおける前記縦中心線側の端部は、該端部それぞれから延びる仮想延長線が互いに交差するように形成される（３）に記載の吸収性物品。
【０００９】
（５）前記後方圧縮溝は、前記一対の横圧縮溝部それぞれにおける前記幅方向の外方に連続して形成される一対の外方圧縮溝部を有し、該一対の外方圧縮溝部それぞれは、該一対の外方圧縮溝部それぞれにおける前記幅方向外方に位置する一端が、前記一対の横圧縮溝部よりも該吸収性物品における前縁側に位置するように形成される（１）から（４）のいずれかに記載の吸収性物品。
【００１０】
（６）該吸収性物品の前記長手方向における中央部に形成される一対の中央圧縮溝を更に備える（１）から（５）のいずれかに記載の吸収性物品。
【発明の効果】
【００１１】
本発明は、装着時のフィット性に優れると共に、装着後の身体の動き等によってもよれにくく漏れ防止性に優れた吸収性物品を提供することができる。
【発明を実施するための最良の形態】
【００１２】
以下、本発明の好適な実施形態について図を用いて説明する。
図１は、本発明の好適な第１実施形態における生理用ナプキン１の平面図である。図２は、図１におけるＡ−Ａ断面図である。図３は、本発明の好適な第２実施形態における生理用ナプキン１の平面図である。図４は、本発明の好適な第３実施形態における生理用ナプキン１の平面図である。図５は、本発明の好適な第４実施形態における生理用ナプキン１の平面図である。図６は、本発明の好適な第５実施形態における生理用ナプキン１の平面図である。
【００１３】
１．第１実施形態
１−１．概要
図１に示すように、吸収性物品の例として、生理用ナプキン１について説明する。生理用ナプキン１は、液透過性の表面シート１０と、液不透過性の裏面シート２０と、これら両者間に配置される液保持性の吸収体３０と、を備え、縦長状に形成されている。
【００１４】
ここで、生理用ナプキン１の長手方向ＬＤにおける、前方縁３からウイング２、２の前方縁３側の根本部分までを前方部ＦＰ、ウイング２、２の前方縁３側の根本部分から後方縁４側の根本までを中央部ＣＰ、ウイング２、２の後方縁４側の根本部分から後方縁４までを後方部ＢＰとする。
【００１５】
表面シート１０は、吸収体３０の全面を覆うように配置され、吸収体３０に当接する面とは反対側の面に身体が当接する。また、表面シート１０における身体当接面側であって、吸収体３０の幅方向ＷＤ両側部に重なるように、長手方向ＬＤに沿ってサイドシート１１がそれぞれ配置される。表面シート１０と一対のサイドシート１１、１１とは、それぞれ吸収体３０の幅方向ＷＤ両側に対応する部分について、長手方向ＬＤに沿ってホットメルト接着剤で互いに接合される。一対のサイドシート１１、１１それぞれは、吸収体３０の両側に対応する部分からその一部が幅方向ＷＤ外方に延出し、裏面シート２０と共にウイング２、２を形成する。
【００１６】
裏面シート２０は、吸収体３０における表面シート１０とは反対側の面において、吸収体３０の全面を覆うように配置され、着衣である下着に当接する。裏面シート２０は、吸収体３０における下着当接面側全域を覆うと共に、吸収体３０の両側に対応する部分からその一部が幅方向ＷＤ外方に延出して一対のサイドシート１１、１１と共に一対のウイング２、２を形成する。なお、ウイング２は、サイドシート１１と裏面シート２０がそれぞれホットメルト接着剤で接合されることにより、形成される。
【００１７】
第１実施形態においては、一対のウイング２、２は、それぞれ生理用ナプキン１の中央部ＣＰにおいて、幅方向ＷＤ外方に延出するように形成される。
【００１８】
裏面シート２０及び一対のウイング２、２それぞれの下着当接面側には、それぞれ粘着材が塗布されたズレ止め部及びウイング側ズレ止め部（いずれも図示せず）が形成される。
【００１９】
１−２．圧縮溝
図１に示すように、生理用ナプキン１の表面シート１０が配置される側には、中央圧縮溝４１及び後方圧縮溝４２が形成される。中央圧縮溝４１は、生理用ナプキン１の中央部ＣＰに形成される。後方圧縮溝４２は、生理用ナプキン１の後方部ＢＰに形成される。第１実施形態においては、中央圧縮溝４１及び後方圧縮溝４２は、縦中心線ＣＬを対称軸として略線対称にそれぞれ一対ずつ設けられている。
【００２０】
図１に示すように、後方圧縮溝４２は、後方部ＢＰにおいて、生理用ナプキン１の幅方向ＷＤに延びるように一対形成される。一対の後方圧縮溝４２、４２は、生理用ナプキン１の幅方向ＷＤに延び、互いに離間して形成される横圧縮溝部４２１、４２１をそれぞれ有する。本実施形態においては、横圧縮溝部４２１、４２１は、後方圧縮溝４２、４２の全体を構成する。
【００２１】
横圧縮溝部４２１、４２１は、生理用ナプキン１を幅方向ＷＤに二分し、長手方向ＬＤに延びる縦中心線ＣＬを対称軸として、略線対称に形成される。また、横圧縮溝部４２１、４２１は、縦中心線ＣＬを中心に互いに離間して形成される。つまり、生理用ナプキン１の幅方向ＷＤ中央には、横圧縮溝部４２１、４２１は形成されない。また、一対の横圧縮溝部４２１、４２１は、その生理用ナプキン１の幅方向ＷＤ外方側に位置する端部は、サイドシート１１が配置される位置よりも、幅方向ＷＤ内方に位置するように形成される。
【００２２】
一対の横圧縮溝部４２１、４２１それぞれは、一対の横圧縮溝部４２１、４２１と、生理用ナプキン１の幅方向ＷＤに延びる直線とのなす角度が０から２０度の範囲内となるように形成されることが好ましい。横圧縮溝部４２１が上記の角度の範囲内となるように形成されることにより、生理用ナプキン１の後方部ＢＰが幅方向ＷＤ外方側からかけられる力に対する剛性を維持することができる。横圧縮溝部４２１が、上記の角度の範囲外となるように形成される場合には、後方部ＢＰが幅方向ＷＤ外方側からかけられる力に対する剛性を十分に維持することができなくなる。
【００２３】
一対の横圧縮溝部４２１、４２１は、それぞれ略直線状に形成される。また、第１実施形態においては、一対の横圧縮溝部４２１、４２１は、一対の横圧縮溝部４２１、４２１それぞれと、生理用ナプキン１の幅方向ＷＤに延びる直線とのなす角度が、０度となるように形成される。
【００２４】
横圧縮溝部４２１は、後述の位置Ｚから後方縁４側に向かって、好ましくは、８０ｍｍから３００ｍｍの離れた範囲内となるように形成される。詳しくは、横圧縮溝部４２１は、横圧縮溝部４２１の前方縁３側が位置Ｚから後方縁４側に８０ｍｍ離れた位置から、横圧縮溝部４２１の後方縁４側端部が位置Ｚから３００ｍｍ離れた位置の範囲内になるように形成される。本実施形態においては、横圧縮溝部４２１は、位置Ｚから横圧縮溝部４２１の後方縁４側端部までの距離が、１３０ｍｍの位置となるように形成される。位置Ｚから横圧縮溝部４２１の前方縁３側端部までの距離が８０ｍｍより短い場合には、臀部の溝に対応する箇所に横圧縮溝部４２１が配置されないおそれがあり、生理用ナプキン１の後方部ＢＰにおいて、装着時に圧力がかかりやすい箇所でヨレが生じる可能性がある。また、位置Ｚから横圧縮溝部４２１の後方縁４側端部までの距離が３００ｍｍよりも離れた場合にも、横圧縮溝部４２１が臀部の溝よりも身体の後ろ方向に配置されるおそれがあり、最も動きのある臀部の溝に当接された箇所においてヨレが生じる可能性がある。
【００２５】
また、一対の横圧縮溝部４２１、４２１の幅方向ＷＤにおける長さは、好ましくは７から４０ｍｍ、さらに好ましくは、１５から３０ｍｍである。７ｍｍより小さい場合は、十分な剛性を維持することができず、ヨレてしまう危険がある。また、４０ｍｍより大きい場合には、生理用ナプキン１の幅方向ＷＤにおけるほぼ全域にわたって剛性部分が形成されるため、生理用ナプキン１全体が厚さ方向に凸状に変形することを妨げる可能性がある。
【００２６】
中央圧縮溝４１は、生理用ナプキン１の中央部ＣＰにおいて、長手方向ＬＤに沿うように一対形成される。中央圧縮溝４１、４１は、曲線で形成され、生理用ナプキン１の幅方向ＷＤ内方に向かって湾曲し、弧を描くように形成される。具体的には、一対の中央圧縮溝４１、４１の長手方向ＬＤ中央において、幅方向ＷＤ間の長さが最も短くなるように形成される。一対の中央圧縮溝４１、４１は、ウイング２、２における前方縁３側の根本部分近傍から、一対のウイング２、２それぞれにおける後方縁４側の根本部分の近傍にかけて形成される。
【００２７】
ここで、一対の中央圧縮溝４１、４１において、一対の中央圧縮溝４１、４１間の距離が最短の長さとなる点を幅方向ＷＤにつなぐ線と、生理用ナプキン１を幅方向ＷＤに二分するように延びる縦中心線ＣＬとの交点を位置Ｚとする。この位置Ｚは、生理用ナプキン１に排泄口が当接すると想定される位置である。
【００２８】
図２に示すように、一対の中央圧縮溝４１、４１及び一対の横圧縮溝部４２１、４２１は、それぞれ表面シート１０と吸収体３０とを圧縮して接合することにより形成される。また、中央圧縮溝４１、４１及び横圧縮溝部４２１、４２１は、それぞれ高い圧力で圧縮された高圧縮部４１１と、高圧縮部４１１よりも低い圧力で圧縮された低圧縮部４１２とが交互に連続的に形成されることにより形成される。中央圧縮溝４１、４１及び横圧縮溝部４２１、４２１は、表面シート１０と吸収体３０とが圧縮一体化されることにより、中央圧縮溝４１、４１及び横圧縮溝部４２１、４２１が形成されない他の領域よりも剛性が高くなる。
【００２９】
横圧縮溝部４２１、４２１及び中央圧縮溝４１、４１が形成される部分における剛性は、０．５Ｎ／インチ以上であることが好ましい。横圧縮溝部４２１、４２１及び中央圧縮溝４１、４１が形成される部分における剛性が０．５Ｎ／インチより小さい場合には、生理用ナプキン１に対して幅方向ＷＤ内方側への力がかけられた場合に、該生理用ナプキン１の後方部ＢＰを平面状に維持することができず、使用中に生理用ナプキン１がよれる場合がある。
【００３０】
第１実施形態によれば、生理用ナプキン１は、後方部ＢＰにおいて幅方向ＷＤに沿って互いに離間した一対の後方圧縮溝４２、４２を備え、一対の後方圧縮溝４２、４２はそれぞれ横圧縮溝部４２１、４２１を有する。横圧縮溝部４２１、４２１は、幅方向ＷＤに延びるように形成されるため、幅方向ＷＤへの剛性を他の領域に比べて高くすることができる。その結果、生理用ナプキン１装着中の動作時に、臀部の肉が左右に動くことにより生理用ナプキン１にかかる力や、歩行時の足回りからかかる左右からの力に対し生理用ナプキン１の後方部ＢＰがよれにくくなり、漏れを防ぐことができる。
【００３１】
さらには、一対の横圧縮溝部４２１、４２１が生理用ナプキン１の幅方向ＷＤ中央で互いに離間して形成されるため、一対の横圧縮溝部４２１、４２１間の領域が、生理用ナプキン１の肌当接面側に厚さ方向に凸状に変形することを妨げない。したがって、生理用ナプキン１の後方部ＢＰにおける幅方向ＷＤ外方部分については、変形することを抑制しつつ、生理用ナプキン１の装着時において臀裂に沿うように変形して密着させることができるので、身体と生理用ナプキン１との隙間が生じることによる漏れを防ぐことができる。
【００３２】
また、一対の横圧縮溝部４２１、４２１は、縦中心線ＣＬを中心に互いに離間して形成される。つまり、生理用ナプキン１の幅方向ＷＤ中央には圧縮溝のような剛性要素が形成されない。このため、生理用ナプキン１の後方部ＢＰに、生理用ナプキン１の幅方向ＷＤ内方側への力が加えられた場合に、剛性要素が形成されない縦中心線ＣＬ近傍部において、内方側への力を緩衝し、後方部ＢＰ全体が変形することを防止することができる。
【００３３】
また、一対の横圧縮溝部４２１、４２１が離間して形成されるため、生理用ナプキン１を装着して歩行する際に、足の動きにより該生理用ナプキン１の幅方向ＷＤ内方へ向けて異なる力のかかり方となった場合でも、横圧縮溝部４２１、４２１がそれぞれ独立してその足の動きに応じて動くことができる。このため、生理用ナプキン１の装着感を向上させることができる。
【００３４】
２．他の実施形態
図３から図６を用いて他の実施形態について説明する。第２実施形態及び第３実施形態は、後方圧縮溝４２の形状において第１実施形態と異なる。第４実施形態は、後方圧縮溝及び４２中央圧縮溝４１の形状において第１実施形態と異なる。第５実施形態は、後方圧縮溝４２、中央圧縮溝４１、吸収体３０及び生理用ナプキン１の形状において第１実施形態と異なる。なお、以下の実施形態においては、第１実施形態と異なる点を中心に説明し、第１実施形態と同様の部分は同一の符号を付している。
【００３５】
２−１．第２実施形態
図３に示すように、第２実施形態の生理用ナプキン１は、一対の後方圧縮溝４２、４２が、横圧縮溝部４２１、４２１それぞれの幅方向ＷＤ内方に連続して形成される内方圧縮溝部４２２、４２２を有する点で、第１実施形態と異なる。
【００３６】
第２実施形態においては、横圧縮溝部４２１は、生理用ナプキン１の幅方向ＷＤに延びるなだらかな曲線で形成される。また、横圧縮溝部４２１は、横圧縮溝部４２１と、生理用ナプキン１の幅方向ＷＤに延びる直線とのなす角度が５度となるように形成される。言い換えると、横圧縮溝部４２１における縦中心線ＣＬ側から延びる仮想延長線Ｖ２、Ｖ２と縦中心線ＣＬとのなす角度が８５度となるように形成される。
【００３７】
内方圧縮溝部４２２は、縦中心線ＣＬを挟んで形成される一対の内方圧縮溝部４２２、４２２であり、一対の内方圧縮溝部４２２、４２２それぞれにおける縦中心線ＣＫ側の端部は、該端部それぞれから延びる仮想延長線Ｖ１、Ｖ１が互いに交差するように形成される。詳細には、一対の内方圧縮溝部４２２、４２２は、一対の横圧縮溝部４２１、４２１それぞれにおける幅方向ＷＤ内方側の端部から、前方縁３側に向けて長手方向ＬＤに延びるように形成される。また、一対の内方圧縮溝部４２２は、前方縁３側に向けて互いの間隔が徐々に狭まるように形成される。さらに、内方圧縮溝部４２２、４２２それぞれにおける縦中心線ＣＬ側、すなわち前方縁３側に位置する一端部から前方縁３側に向けて延びる仮想延長線Ｖ１、Ｖ１それぞれは、互いに交差するように形成される。そして、後方圧縮溝４２は、全体として曲線で形成される。
【００３８】
位置Ｚから、仮想延長線Ｖ１、Ｖ１の交点Ｐまでの距離は、好ましくは３０から３００ｍｍである。第２実施形態においては、位置Ｚから交点Ｐまでの距離は、例えば６５ｍｍである。位置Ｚから交点Ｐまでの距離が３０ｍｍより小さい場合には、後方圧縮溝４２、４２が互いに離間していることにより、生理用ナプキン１の幅方向ＷＤ中央に形成される凸型の変形部分が、生理用ナプキン１の装着時に臀裂の位置に対応しなくなるおそれがある。また、位置Ｚから交点Ｐまでの距離が３００ｍｍより大きい場合には、生理用ナプキン１の装着時に上述の変形部分が臀裂よりも後方に位置するようになるおそれがある。
【００３９】
第２実施形態によれば、第１実施形態と同様の効果を奏する他、生理用ナプキン１は、前方縁３側に向けて仮想延長線Ｖ１、Ｖ１が交わるように長手方向ＬＤに延びる内方圧縮溝部４２２、４２２が形成されることにより、生理用ナプキン１の幅方向ＷＤ中央が装着時に身体側に凸となるように変形することを促す。そして、生理用ナプキン１の後方部ＢＰがよれることを防止することができ、同時に生理用ナプキン１が身体に沿うように変形して漏れを防ぐことができる。
【００４０】
２−２．第３実施形態
図４に示すように、第３実施形態について説明する。第３実施形態における生理用ナプキン１は、一対の後方圧縮溝４２、４２が、一対の横圧縮溝部４２１、４２１それぞれにおける幅方向ＷＤ外方側の端部に連続して形成される一対の外方圧縮溝部４２３、４２３を有する他は、第２実施形態と同様の構成である。
【００４１】
第３実施形態における後方圧縮溝４２、４２は、それぞれ、横圧縮溝部４２１、４２１と、横圧縮溝部４２１、４２１の幅方向ＷＤ内方に位置する端部から連続して形成される内方圧縮溝部４２２、４２２と、横圧縮溝部４２１、４２１の幅方向ＷＤ外方に位置する端部から連続して形成される外方圧縮溝部４２３、４２３とを有する。
【００４２】
外方圧縮溝部４２３、４２３は、横圧縮溝部４２１、４２１それぞれにおける幅方向ＷＤ外方に位置する端部から連続して形成される。また、外方圧縮溝部４２３、４２３それぞれは、外方圧縮溝部４２３、４２３それぞれにおける幅方向ＷＤ外方に位置する一端が、横圧縮溝部４２１、４２１よりも、前方縁３側に位置するように形成される。
詳細には、外方圧縮溝部４２３、４２３は、横圧縮溝部４２１、４２１それぞれの幅方向ＷＤ外方に位置する端部に連続するように形成され、生理用ナプキン１の幅方向ＷＤ外方側にむけて凸となるような曲線で形成される。そして、外方圧縮溝部４２３、４２３における横圧縮溝部４２１、４２１側とは反対側の端部が、横圧縮溝部４２１、４２１が形成された位置よりも長手方向ＬＤに前方縁３側に形成される。
【００４３】
第３実施形態によれば、第２実施形態と同様の効果を奏する他、生理用ナプキン１の装着時において、後方縁４側に横圧縮溝部４２１、内方圧縮溝部４２２、外方圧縮溝部４２３で囲まれた領域が形成されるので、生理用ナプキン１に対して幅方向ＷＤ内方への力がかけられた場合でも、囲まれた領域が変形されないように維持することができる。したがって、後方部ＢＰが幅方向ＷＤ内方側にかけられる力に対して変形することを抑制することができる。
【００４４】
また、後方圧縮溝４２、４２の幅方向ＷＤ外方側が前方縁３側に向くように形成されるので、排泄物等の液体が流れてきた場合でも、液体が後方圧縮溝４２、４２それぞれに落とし込まれるので、漏れを防ぐことができる。
【００４５】
２−３．第４実施形態
図５に示すように、第４実施形態について説明する。第４実施形態における生理用ナプキン１は、一対の後方圧縮溝４２、４２が幅方向ＷＤ中央において互いに連結され、一対の後方圧縮溝４２、４２と一対の中央圧縮溝４１、４１とは、後方圧縮溝４２、４２それぞれの幅方向ＷＤ外方側端部と、中央圧縮溝４１、４１それぞれの後方縁４側端部とが互いに連結され、さらに、前方縁３側に向けて凸となるように湾曲した前方圧縮溝４３の後方縁４側端部と、中央圧縮溝４１、４１それぞれの前方縁３側端部とが互いに連結される。そして、中央圧縮溝４１、後方圧縮溝４２、前方圧縮溝４３全体で環状に形成された圧縮溝を有する他は、第３実施形態と同様の構成である。
【００４６】
具体的には、後方部ＢＰにおいて、後方圧縮溝４２は、横圧縮溝部４２１、内方圧縮溝部４２２及び外方圧縮溝部４２３で形成される。一対の内方圧縮溝部４２２は、一対の横圧縮溝部４２１、４２１それぞれにおける幅方向ＷＤ内方側に位置する側から、縦中心線ＣＬに向けて凸となるようななだらかな曲線で形成され、かつ内方圧縮溝部４２２は、縦中心線ＣＬ上で互いに連結される。
一対の外方圧縮溝部４２３、４２３は、一対の横圧縮溝部４２１、４２１それぞれの幅方向ＷＤ外方側に位置する側から、幅方向ＷＤ外方側に向けて凸となるような曲線で形成される。また、一対の外方圧縮溝部４２３、４２３における幅方向ＷＤ外方側に位置する側は、前方縁３側に向けて延びるように形成され、かつ幅方向ＷＤ内方側に互いに近づくように形成され、一対の中央圧縮溝４１、４１それぞれに接続される。
【００４７】
一対の中央圧縮溝４１、４１は、生理用ナプキン１における中央部ＣＰから後方部ＢＰの前方縁３側にかけて形成される。中央圧縮溝４１は、長手方向ＬＤの両端側が幅方向ＷＤ外方に向けて凸となるような曲線で形成され、長手方向ＬＤの中央部分が幅方向ＷＤ内方側に向けて凸となるような、なだらかな曲線となるように形成される。そして、一対の中央圧縮溝４１、４１それぞれにおける後方縁４側に位置する端部が後方圧縮溝４２、４２それぞれに接続される。また、一対の中央圧縮溝４１、４１における前方縁３側に位置する端部は、それぞれ前方圧縮溝４３に互いに接続される。
【００４８】
前方圧縮溝４３は、中央部ＣＰにおける前方縁３側から前方部ＦＰにかけて形成される。前方圧縮溝４３は、一対の中央圧縮溝４１、４１それぞれの前方縁３側に位置する端部から連続して前方縁３側に凸となるような曲線で形成される。したがって、第４実施形態における生理用ナプキン１においては、後方圧縮溝４２、中央圧縮溝４１及び前方圧縮溝４３は、それぞれ互いに連結され、全体として環状となるように形成される。
【００４９】
第４実施形態によれば、生理用ナプキン１は、後方圧縮溝４２、中央圧縮溝４１及び前方圧縮溝４３がそれぞれ連結され、全体として略環状に形成された圧縮溝を有する。これにより、第３実施形態と同様の効果を奏する他、後方部ＢＰにおける幅方向ＷＤ内方に向かってかけられる力に対して変形することを抑制しつつ、幅方向ＷＤ中央において身体側に凸となるように変形することを妨げない。さらに、生理用ナプキン１の表面を排泄物等の液体が流れてきた場合でも、各圧縮溝の底部に液体が落とし込まれ、吸収体３０に吸収保持されるので、漏れを防ぐことができる。
【００５０】
２−４．第５実施形態
図６に示すように、第５実施形態について説明する。第５実施形態における生理用ナプキン１は、前方圧縮溝４３及び後方圧縮溝４２にそれぞれ連結してその長手方向ＬＤ中央部分が幅方向ＷＤ内方に凸となるように形成される中央圧縮溝４１の形状と、後方縁４側端部における幅方向ＷＤ中央に形成される切り込み部４６を有する吸収体３０と、生理用ナプキン１の後方縁４端部における幅方向ＷＤ中央に形成される切り込み部４７と、生理用ナプキン１の外周縁に沿って形成されるサイドシール部５０と、を有する他は、第４実施形態と同様の構成である。
【００５１】
一対の中央圧縮溝４１、４１は、後方部ＢＰにおける前方縁３側から中央部ＣＰにおける前方縁３側にかけて形成され、一対の中央圧縮溝４１、４１それぞれの長手方向ＬＤ略中央が幅方向ＷＤ内方側に凸となるようななだらかな曲線で形成される。
【００５２】
吸収体３０は、その後方縁４側の端部において、縦中心線ＣＬ上で互いに連結する内方圧縮溝部４２２、４２２の形状に沿うように切り込み部４６を有する。つまり、吸収体３０は、後方縁４側の幅方向ＷＤ中央が、前方縁３側にむけて窪むように形成される切り込み部４６を有する。
【００５３】
切り込み部４６は、吸収体３０の後方縁４側端部から前方縁３側に１０から７０ｍｍの長さであることが好ましい。第５実施形態においては、吸収体３０における切り込み部４６の長さは、１５ｍｍである。切り込み部４６が１０ｍｍより小さい場合には、吸収体３０の後方部ＢＰにおける幅方向ＷＤ外方が両足の動きに応じてそれぞれ動くことに寄与しない場合がある。また、切り込み部４６の長さが７０ｍｍより大きい場合には、吸収体３０自体の強度が低下する危険性がある。
【００５４】
生理用ナプキン１の後方縁４側端部における幅方向ＷＤ中央には、前方縁３側に窪むように形成される切り込み部４７が形成される。生理用ナプキン１における切り込み部４７は、生理用ナプキン１の後方縁４側端部から前方縁３側へ向けて５から７０ｍｍの範囲内で窪むように形成されることが好ましい。本実施形態においては、生理用ナプキン１の切り込み部４７の長さは７ｍｍである。そして、後方圧縮溝４２、吸収体３０における切り込み部４６、及び生理用ナプキン１における切り込み部４７それぞれの頂点は、縦中心線ＣＬ上に並ぶように形成される。
【００５５】
生理用ナプキン１の外縁は、表面シート１０又はサイドシート１１と、裏面シート２０とを互いに圧縮して接合されたサイドシール部５０が形成される。
【００５６】
本実施形態によれば、生理用ナプキン１は、内方圧縮溝部４２２、４２２により形成された形状に沿うように切り込み部４６を有する吸収体３０と、生理用ナプキン１の後方縁４側端部における幅方向ＷＤ略中央が前方縁３側に窪むように形成された切り込み部４７をと有する。これにより、第４実施形態と同様の効果を奏する他、切り込み部４６、４７を中心として、生理用ナプキン１の幅方向ＷＤ中央が身体側へ凸となるように変形することを促す。また、両足のそれぞれの動きに合わせて、後方部ＢＰが独立して動くことを妨げない。したがって、装着中に使用者が動作した場合であっても、生理用ナプキン１が身体に沿うように動くことができるので、身体と生理用ナプキン１との隙間が生じることによる漏れを防止することができる。
【００５７】
さらに、生理用ナプキン１における後方圧縮溝４２は、横圧縮溝部４２１、４２１を有することにより、幅方向ＷＤ内方側へ向かう力がかけられた場合に、後方部ＢＰ外方が変形することを抑制する。さらには、外縁にサイドシール部５０を有するので、生理用ナプキン１の外方側の形状を維持することに有用である。
【００５８】
第１実施形態においては、生理用ナプキン１は、一つの直線上に並ぶように形成された一対の横圧縮溝部４２１、４２１を有するが、これに限らない。例えば、横圧縮溝部４２１、４２１は、横圧縮溝部４２１、４２１それぞれにおける縦中心線ＣＬ側に位置する端部が後方縁４側に位置し、後方縁４側から前方縁３側へ徐々に幅方向ＷＤ外方にむけて、いわゆるハの字型となるように形成されてもよい。また、逆に、横圧縮溝部４２１、４２１は、横圧縮溝部４２１、４２１それぞれにおける縦中心線ＣＬ側に位置する端部から、後方縁４側に向けて徐々に幅方向ＷＤ外方に向けて、いわゆる逆ハの字型となるように形成されてもよい。
【００５９】
第２実施形態及び第３実施形態において、内方圧縮溝部４２２、４２２及び外方圧縮溝部４２３、４２３がそれぞれ曲線で形成された後方圧縮溝４２、４２を有するが、これに限らない。例えば、内方圧縮溝部４２２、４２２、外方圧縮溝部４２３、４２３は、直線で形成されてもよい。
【００６０】
本実施形態においては、後方圧縮溝４２及び／又は中央圧縮溝４１は、その底部に高圧縮部４１１と低圧縮部４１２とが交互に連続的に形成されることにより構成されるが、これに限らない。例えば、高圧縮部４１１及び／又は低圧縮部４１２のみが形成され、全て均一の高さとなるような溝であってもよい。また、後方圧縮溝４２又は中央圧縮溝４１は、高圧縮部４１１又は低圧縮部４１２が溝幅全体に形成されるのではなく、各溝幅の一部に形成されるようにしてもよい。また、高圧縮部４１１又は低圧縮部４１２の形状をドット状やハート形状とし、後方圧縮溝４２及び／又は中央圧縮溝４１に意匠性を付与してもよい。これにより、後方圧縮溝４２及び／又は中央圧縮溝４１は、上記のような効果を奏すると同時に生理用ナプキン１の外観について、使用者に対する視覚性を向上させることができる。
【００６１】
上述の各実施形態においては、吸収性物品の例として、生理用ナプキンについて説明したが、これに限らない。例えば、パンティライナーや尿とりパッド、軽失禁用の尿吸収ライナーのような吸収性物品に使用することができる。
【図面の簡単な説明】
【００６２】
【図１】本発明の好適な第１実施形態における生理用ナプキン１の平面図である。
【図２】図１におけるＡ−Ａ断面図である。
【図３】本発明の好適な第２実施形態における生理用ナプキンの平面図である。
【図４】本発明の好適な第３実施形態における生理用ナプキンの平面図である。
【図５】本発明の好適な第４実施形態における生理用ナプキンの平面図である。
【図６】本発明の好適な第５実施形態における生理用ナプキンの平面図である。
【符号の説明】
【００６３】
ＢＰ  後方部
ＣＬ  中心線
ＣＰ  中央部
ＦＰ  前方部
ＬＤ  長手方向
ＷＤ  幅方向
１  生理用ナプキン
２  ウイング
３  前方縁
４  後方縁
１０  表面シート
１１  サイドシート
２０  裏面シート
３０  吸収体
４１  中央圧縮溝
４２  後方圧縮溝
４２１  横圧縮溝部
４２２  内方圧縮溝部
４２３  外方圧縮溝部
【図１】
0005139017.tif 000002
【図２】
0005139017.tif 000003
【図３】
0005139017.tif 000004
【図４】
0005139017.tif 000005
【図５】
0005139017.tif 000006
【図６】
0005139017.tif 000007